(57)【要約】【課題】放送業務における素材の詳細情報を高速に取得することができるテープレスシステムを提供する。【解決手段】テープレスシステム１００において、ユーザが素材一覧表示用ディスプレイ３０から検索条件を指定して素材一覧表示要求を行うと、ステップＳ１０１に示すように編集機２０ａに対して素材一覧要求が送信される。編集機２０ａは、ステップＳ１０２に示すように素材一覧要求をビデオサーバ１０ａに送信する。また、編集機２０ａは、素材一覧要求をビデオサーバ１０ａに送信することで、ステップＳ１０３に示すように、編集機２０ａに対してバックグラウンドで詳細情報要求を行うことができる。ビデオサーバ１０ａは、ステップＳ１０４に示すように、素材の基本情報である素材一覧データを編集機２０ａに送信する。また、ビデオサーバ１０ａは、ステップＳ１０６に示すように詳細情報データを編集機２０ａに送信する。【選択図】図２
2012222436.tif 000002
【特許請求の範囲】
【請求項１】
映像データである素材を保存しているビデオサーバと前記素材を編集する編集機を備えたテープレスシステムであって、
前記編集機は、
前記ビデオサーバに対して指定された検索条件に対する前記素材の素材一覧要求を送信する素材一覧要求送信手段と、
前記素材一覧要求送信手段により前記素材に対する詳細情報要求する詳細情報要求手段とを有し、
前記ビデオサーバは、
前記素材一覧要求を受信すると前記編集機に対して基本情報を送信する基本情報送信手段と、
前記詳細情報要求を受信すると前記編集機に対して詳細情報を送信する詳細情報送信手段とを有する
ことを特徴とするテープレスシステム。
【発明の詳細な説明】
【技術分野】
【０００１】
本発明は、ビデオサーバに収録される映像をオンエア（ＯＡ）する放送システムに係り、特に編集機能により編集された映像をビデオサーバに記録（以下、収録という）してオンエアするテープレスシステムに関する。
【背景技術】
【０００２】
テレビジョン放送では、カメラまたはＶＴＲ（Video Tape Recorder）などに記録されている番組やＣＭ等の放送用の映像データ（以下、素材という）を、ビデオサーバに収録してからオンエアするノンリニアバンクシステムが使用されている。このようなノンリニアバンクシステムにおいて、ビデオサーバの入出力信号を非圧縮の映像信号（ベースバンド信号）から圧縮された映像ファイルデータ形式の映像信号とし、またビデオサーバに収録されている素材から番組用放送素材を編集する機能を備えたテープレスシステムが使用されている。
【０００３】
図３を用いて従来のテープレスシステム２００の構成について説明する。図３に示すようにテープレスシステム２００は、ビデオサーバ１０、編集機２０、素材一覧表示用ディスプレイ３０、及び編集用ディスプレイ４０から構成されている。ビデオサーバ１０と編集機２０は、ＬＡＮ５０で接続されている。編集機２０と、素材一覧表示用ディスプレイ３０及び編集用ディスプレイ４０は、ＬＡＮ６０で接続されている。実際のビデオサーバ１０には、複数の編集機２０が接続されているが、ここでは1台の編集機２０と、編集機２０に接続される各々１台の素材一覧表示用ディスプレイ３０及び編集用ディスプレイ４０のみを示す。ビデオサーバ１０は、カメラまたはＶＴＲなどから入力した複数の素材を収録し、また素材に対応付けられた基本情報、及び詳細情報を記録している。基本情報とは、例えば、素材ＩＤ，タイトル、コメント、撮影日時等の撮影情報、収録日時等の収録情報、及びサムネイルから構成される素材の情報である。詳細情報とは、例えば、Ｉｎ点（挿入開始点）、ＯＵＴ点（挿入終了点）、著作権情報、ダビング履歴、キャプション、削除制限日時、放送制限日時等の放送業務ワークフロー上の多岐にわたる情報で、素材への直接の操作がなくても更新される情報を含んでいる。編集機２０は、ＬＡＮ５０を経由してビデオサーバ１０とデータ通信を行い、ユーザの操作に基づいてビデオサーバ１０から素材を取得して番組用放送素材に編集する。編集された番組用放送素材は、再びビデオサーバ１０に収録されオンエアされる。また、編集機２０は、ビデオサーバ１０から所望の素材一覧を取得し表示するための素材一覧アプリケーション機能と、表示された素材一覧から番組用放送素材を編集する編集用アプリケーション機能とを備えている。素材一覧表示用ディスプレイ３０は、ユーザが素材一覧を表示するために用いる表示器である。編集用ディスプレイ４０は、ユーザが素材一覧から番組用放送素材を編集するために用いる表示器である。
【０００４】
次に、図４に示す従来のテープレスシステム２００において、編集機２０が素材の基本情報と詳細情報を表示するまでの手順について、ステップ順に説明する。
【０００５】
まず、ユーザが素材一覧表示用ディスプレイ３０から検索条件を指定して素材一覧の表示要求を行うと、ステップＳ２０１に示すように、素材一覧表示用ディスプレイ３０から編集機２０に対して素材一覧要求が送信される。編集機２０は、素材一覧要求を受信すると、ステップＳ２０２に示すように素材一覧アプリケーション機能により素材一覧要求をビデオサーバ１０に送信する。ビデオサーバ１０は、素材一覧要求を受信すると、ステップＳ２０３に示すように、その素材一覧要求に対する応答として、指定されたの検索条件に対する各素材の基本情報を収集した素材一覧データを編集機２０に送信する。編集機２０の素材一覧表示アプリケーション機能は、素材一覧データを受信すると、ステップＳ２０４に示すように、素材一覧データを素材一覧表示用ディスプレイ３０の素材一覧画面に表示する。このように従来のテープレスシステム２００においては、ステップＳ２０４の時点では、素材の基本情報を取得して素材一覧表示用ディスプレイ３０に素材一覧として表示するが、素材の詳細情報の取得は行われない。次いで、ユーザが素材一覧表示用ディスプレイ３０に表示された素材一覧画面から基本情報の素材ＩＤなどを１つずつ指定することで、その素材の詳細情報要求を行うと、ステップＳ２０５に示すように素材一覧表示用ディスプレイ３０から編集機２０に対して詳細情報要求が送信される。編集機２０の素材一覧アプリケーション機能は、詳細情報要求を受信すると、ステップＳ２０６に示すように詳細情報要求をビデオサーバ１０に送信する。ビデオサーバ１０は、詳細情報要求を受信すると、ステップＳ２０７に示すように、その詳細情報要求に対する応答として、指定されたの検索条件に対する各素材の詳細情報である詳細情報データを編集機２０に送信する。編集機２０の素材一覧アプリケーション機能は、詳細情報データを受信すると、ステップＳ２０８に示すように、詳細情報データを素材一覧表示用ディスプレイ３０の素材詳細情報画面に表示する。また、素材一覧表示アプリケーション機能は、編集用ディスプレイ４０からビデオサーバ１０に収録されている素材にアクセスできるようにするため、ビデオサーバ１０の素材に対してマウントを行う。このマウントにより、ステップ２０９に示すように、編集用ディスプレイ４０はビデオサーバ１０に保存されている素材を用いて編集を行うことができる。
【０００６】
このようなテープレスシステム２００では、素材の基本情報をビデオサーバ１０から取得
して素材一覧画面に表示させ、更に基本情報の素材ＩＤなどを１素材ずつ指定することで、素材の詳細情報をビデオサーバ１０から取得して素材詳細情報画面に表示させていた。
【０００７】
特許文献１に開示の技術では、所望の元素材データを、送出用素材に変換してアーカイブ装置に保存すると共に、低レート素材に変換して低レート素材保存装置に元素材に関する情報と対応付けて保存することで、特殊な端末装置を必要とせずに、低レート素材保存装置から取り出した所望の低レート素材及び対応する元素材に関する情報に基づき、素材内容を検索、確認することができる番組登録送出システムを提供している。
【先行技術文献】
【特許文献】
【０００８】
【特許文献１】特開２００８−２４４５４３
【発明の概要】
【発明が解決しようとする課題】
【０００９】
しかし、特許文献１の番組登録送出システムでは、低レート素材保存装置から取り出した所望の低レート素材及び対応する元素材に関する情報に基づき、素材内容を特殊な端末装置を必要とせずに検索、確認することができるが、処理の高速化などの対策は行われていない。また、従来のテープレスシステムにおいても、素材の基本情報を表示してから詳細情報を表示するため、詳細情報を表示までに一定の時間が掛かるので、大量の素材を編集する場合に、編集作業の効率が低下するという問題があった。
【００１０】
本発明はこのような状況に鑑みてなされたものであり、上記課題を解決できるテープレスシステムを提供することを目的とする。
【課題を解決するための手段】
【００１１】
本発明のテープレスシステムは、映像データである素材を保存しているビデオサーバと前記素材を編集する編集機を備えたテープレスシステムであって、前記編集機は、前記ビデオサーバに対して指定された検索条件に対する前記素材の素材一覧要求を送信する素材一覧要求送信手段と、前記素材一覧要求送信手段により前記素材に対する詳細情報要求する詳細情報要求手段とを有し、前記ビデオサーバは、前記素材一覧要求を受信すると前記編集機に対して基本情報を送信する基本情報送信手段と、前記詳細情報要求を受信すると前記編集機に対して詳細情報を送信する詳細情報送信手段とを有することを特徴としている。
【発明の効果】
【００１２】
本発明によれば、放送業務の編集機において使用される頻度が高い素材の詳細情報を取得する処理を高速化することで、ユーザが効率よく素材の編集を行うことができるテープレスシステムを提供する。
【図面の簡単な説明】
【００１３】
【図１】本発明の実施形態に係るテープレスシステムの機能構成を示す図である。
【図２】本発明の実施形態に係るテープレスシステムにおける素材の基本情報と詳細情報を表示するまでの手順を示す図である。
【図３】本発明と従来のテープレスシステムの構成を示す図である。
【図４】従来のテープレスシステムにおける素材の基本情報と詳細情報を表示するまでの手順を示す図である。
【発明を実施するための形態】
【００１４】
以下、本発明を実施するための形態（以下、「本実施形態」という）について図面を参照して説明する。
【００１５】
図３を用いて本実施形態のテープレスシステム１００の構成について説明する。図３に示すように本実施形態のテープレスシステム１００は、ビデオサーバ１０ａ、編集機２０ａ、素材一覧表示用ディスプレイ３０、及び編集用ディスプレイ４０から構成されている。ビデオサーバ１０ａと編集機２０ａは、ＬＡＮ５０で接続されている。編集機２０ａと、素材一覧表示用ディスプレイ３０及び編集用ディスプレイ４０は、ＬＡＮ６０で接続されている。実際のビデオサーバ１０ａには、複数の編集機２０ａが接続されているが、ここでは1台の編集機２０ａと、編集機２０ａに接続される各々１台の素材一覧表示用ディスプレイ３０、及び編集用ディスプレイ４０のみを示す。ビデオサーバ１０ａは、カメラまたはＶＴＲなどから入力した複数の素材と、素材に対応付けられた基本情報、及び詳細情報を記録している。編集機２０ａは、ＬＡＮ５０を経由してビデオサーバ１０ａとデータ通信を行い、ユーザの操作に基づいてビデオサーバ１０ａから素材を取得して番組用放送素材に編集する。編集された番組用放送素材は、再びビデオサーバ１０ａに収録されオンエアされる。素材一覧表示用ディスプレイ３０と編集用ディスプレイ４０は、従来のテープレスシステム２００に同じである。
【００１６】
図１を用いて本実施形態のテープレスシステム１００におけるビデオサーバ１０ａと編集機２０ａの機能構成について説明する。図１に示すように、ビデオサーバ１０ａは、取込機能部１１、ファイルシステム機能部１２、リレーショナルデータベース機能部（以下、ＤＢ機能部という）１３、記憶部１４、及びＷｅｂサーバ機能部１５を備えている。また、編集機２０ａは、素材一覧アプリケーション機能部２１、編集用アプリケーション機能部２２、及びＷｅｂクライアント機能部２３から構成されている。また、素材一覧アプリケーション機能部２１は、検索条件受付処理部２４、検索結果表示処理部２５、及び詳細情報取得処理部２６から構成されている。
【００１７】
ビデオサーバ１０ａの各機能について説明する。取込機能部１１は、放送業務用映像ファイルフォーマットであるＭＸＦ（Material exchange Format）ファイル形式の素材をカメラやＶＴＲなどから受信すると、ファイルシステム機能部１２に出力する。ファイルシステム機能部１２は、ＭＸＦファイル形式の素材を入力すると、ファイルシステムで処理できるファイルに変換して記憶部１４に保存する。このＭＦＸファイルにはタイムコード付きの映像及び音声データや、または米国映画テレビ技術者協会のＳＭＰＴＥ（Society of Motion Picture and Television Engineers）３８０Ｍに規定されるＭＸＦの記述系メタデータの標準として策定された標準メタデータスキームであるＤＭＳ１と呼ばれる形式のメタデータが含まれている。また、取込機能部１１は、取り込んだＭＸＦファイル形式の素材から基本情報及び詳細情報の抽出または生成を行うと、メタデータの名称と、素材の基本情報及び詳細情報の項目とを対応付けてＤＢ機能部１３に登録する。基本情報については、基本情報を入力できる画面を設け、ユーザが手入力することも可能である。また、基本情報のサムネイルについては、素材の先頭フレームを縮小して生成させることができる。ＤＢ機能部１３は、素材の基本情報及び詳細情報の項目とを対応付けデータが登録されているデータベースであり、基本情報及び詳細情報の項目が指定されると抽出すべきメタデータを特定できる。記憶部１４には、カメラやＶＴＲなどから受信したＭＸＦファイル形式の素材が保存される。
【００１８】
Ｗｅｂサーバ機能部１５は、複数ある編集機２０ａからの各種要求を通信プロトコルであるhttpやファイル転送プロトコルであるｆｔｐなどにより受信し、受信した各種要求に対する応答を行う。Ｗｅｂサーバ機能部１５は、各種要求を受信すると、ＤＢ機能部１３に対して基本情報の検索を要求し、検索した基本情報を編集機２０ａに送信する。また、Ｗｅｂサーバ機能部１５は、ＤＢ機能部１３に対して基本情報に対応する詳細情報の検索を要求し、検索した詳細情報を編集機２０ａに送信する。ＤＢ機能部１３は、Ｗｅｂサーバ機能部１５から詳細情報の検索を要求されたときには、ＤＢ更新処理または基本情報の検索処理を優先し、最も低い優先度で詳細情報の検索処理を行う。このように、Ｗｅｂサーバ機能部１５は、素材の詳細情報を１つのhttpのレスポンスとして要求元の編集機２０ａに返信する。Ｗｅｂサーバ機能部１５により編集機２０ａに返信される詳細情報のhttp応答は、それがどの基本情報の要求に対応するものなのかが識別可能な情報がヘッダに設定される。また、各素材の詳細情報は、セパレータを介して結合される。
【００１９】
編集機２０ａの各機能について説明する。素材一覧アプリケーション機能部２１は、Ｗｅｂクライアント機能部２３を経由して素材一覧表示用ディスプレイ３０から素材一覧要求を受信すると、素材一覧を収集し、Ｗｅｂクライアント機能部２３に出力する。編集アプリケーション機能部２２は、素材プレビュー領域、タイムライン表示領域等を有する基本画面、素材一覧画面、及び素材詳細情報画面とを有しており、素材一覧画面にはOnDragDropイベントハンドラが設定されている。OnDragDropイベントハンドラは、クリップボードに保持された情報が素材ＩＤの書式かどうかを判断し、書式が合致すれば、それを素材ＩＤで特定されるビデオサーバ１０ａに保存されているＭＸＦファイルのマウントを行う。このマウントにより、ユーザは、編集用ディスプレイ４０で素材の編集を行うことができる。Ｗｅｂクライアント機能部２３は、素材一覧表示用ディスプレイ３０から素材一覧要求を受信し、また、素材一覧表示用ディスプレイ３０に素材一覧を送信する。
【００２０】
素材一覧アプリケーション機能部２１を構成する各機能について説明する。検索条件受付処理部２４は、基本情報または詳細情報に関する検索条件、例えば撮影日時の範囲やコメントに含まれるキーワード等の指定を素材一覧表示用ディスプレイ３０からＷｅｂクライアント機能部２３を経由して入力する。また、検索条件受付処理部２４は、入力した検索条件を、Ｗｅｂクライアント機能部２３を経由してビデオサーバ１０ａにhttpプロトコルを用いて送信する。検索結果表示処理部２５は、検索条件に該当した複数分の素材の基本情報を、Ｗｅｂクライアント機能部２３を経由してhttpプロトコルにより一括で素材一覧表示用ディスプレイ３０に送信する。これにより、複数分の素材一覧が素材一覧表示用ディスプレイ３０に素材一覧画面で表示される。この素材一覧画面は、素材１つ分の基本情報を表示する横長の行が、縦に並んでいる。各行は例えばwindows（登録商標）のフォームで構成されており、各フォームのコントロールにはonDblClickイベントハンドラ、及びOnDragOverイベントハンドラが設定されている。例えば、検索条件が指定された基本情報の要求は、httpプロトコルのgetメソッドを形式的に用いて行われ、基本情報要求の個々を特定可能なシリアル値などを含む。そして、編集機２０ａが詳細情報も続けて要求する場合には、基本情報要求のgetメソッドのconnectionヘッダにKeep-Aliveを指定しておき、詳細情報要求のgetメソッドには、基本情報要求のシリアル値などとプリフェッチ指定フラグを含め、基本情報要求と詳細情報要求を連続して送信可能とする。このように処理を行うことで、基本情報要求への応答を待たずに、詳細情報要求を送信することができる。
【００２１】
詳細情報取得処理部２６は、一度に一覧表示可能な素材数よりも十分大きな詳細情報を保存するキャッシュ領域を確保し、このキャッシュ領域にＷｅｂクライアント機能部２３がビデオサーバ１０ａから受信する詳細情報を保存する。詳細情報取得処理部２６は、素材一覧画面の所定の行（素材）がユーザによってダブルクリックされたときに発生するonDblClickイベントを契機として、その素材の素材ＩＤを取得する。次いで、詳細情報取得処理部２６は、その素材ＩＤに対応する詳細情報が詳細情報キャッシュ領域に保持されているか調べ、保存されていなければ、従来通りその素材ＩＤを設定した詳細情報要求をＷｅｂクライアント機能部２３を経由してビデオサーバ１０ａにhttpプロトコルにより送信する。そして、詳細情報取得処理部２６は、ビデオサーバ１０からの応答である詳細情報をＷｅｂクライアント機能部２３を経由して受信し、キャッシュ領域に保存する。キャッシュ領域に保存されている詳細情報は、素材一覧表示用ディスプレイ３０に素材詳細情報画面で表示される。また、詳細情報取得処理部２６は、素材ＩＤ保持機能のハンドラによりキャプチャされたOnDragOverイベント時に、ドラッグ操作されたフォームに対応する素材ＩＤ若しくは全ての基本情報をクリップボードにコピーすることができる。
【００２２】
次に、図２に示す本実施形態のテープレスシステム１００における素材の基本情報と詳細情報を表示するまでの手順について、ステップ順に説明する。
【００２３】
まず、ユーザが素材一覧表示用ディスプレイ３０から検索条件を指定して素材一覧要求を行うと、ステップＳ１０１に示すように、素材一覧表示用ディスプレイ３０から編集機２０ａに対して素材一覧要求が送信される。編集機２０ａは、素材一覧要求を受信すると、ステップＳ１０２に示すように素材一覧要求をビデオサーバ１０ａに送信する（素材一覧要求送信手段）。また、編集機２０ａは、素材一覧要求をビデオサーバ１０ａに送信することで、ステップＳ１０３に示すように、編集機２０ａに対してバックグラウンドで詳細情報要求を行うことができる（詳細情報要求手段）。ビデオサーバ１０ａは、素材一覧要求を受信すると、ステップＳ１０４に示すように、素材一覧要求に対する応答として、指定されたの検索条件に対する各素材の基本情報を収集した素材一覧データを編集機２０ａに送信する（基本情報送信手段）。編集機２０ａの素材一覧表示アプリケーション機能部２１は、素材一覧データを受信すると（基本情報受信手段）、ステップＳ１０５に示すように、素材一覧データを素材一覧表示用ディスプレイ３０の素材一覧画面に表示する（基本情報表示手段）。また、ビデオサーバ１０ａは、詳細情報要求を受信すると、ステップＳ１０６に示すように、詳細情報要求に対する応答として、指定されたの検索条件に対する各素材の詳細情報である詳細情報データを編集機２０ａに送信すると（詳細情報送信手段）、編集機２０ａの素材一覧表示アプリケーション機能部２１は、詳細情報データを受信する（詳細情報受信手段）。従って、本実施形態ではこの時点で素材の詳細情報が取得され、編集機２０ａに保存される。次いで、ユーザが素材一覧表示用ディスプレイ３０に表示された素材一覧画面から基本情報の素材ＩＤなどを1つずつ指定することで、その素材の詳細情報を要求すると、ステップＳ１０７に示すように素材一覧表示用ディスプレイ３０から編集機２０ａに対して詳細情報要求が送信される。編集機２０ａの素材一覧アプリケーション機能部２１は、詳細情報要求を受信すると、既に素材の詳細情報を保存しているので、ビデオサーバ１０ａに対して詳細情報要求の送信は行わない。編集機２０ａは、検索結果表示処理部２５によりステップＳ１０８に示すように、詳細情報データを素材一覧表示用ディスプレイ３０の素材詳細情報画面に表示する（詳細情報表示手段）。また、素材一覧表示アプリケーション機能部２１は、編集用ディスプレイ４０からビデオサーバ１０ａに収録されている素材にアクセスできるようにするため、ビデオサーバ１０ａの素材に対してマウントを行う（素材アクセス手段）。このマウントにより、ステップ１０９に示すように、編集用ディスプレイ４０はビデオサーバ１０ａに保存されている素材を用いて編集を行うことができる。
【００２４】
以上のような本発明のテープレスシステム１００によれば、放送業務の編集機２０ａにおいて使用される頻度が高い素材の詳細情報を取得する処理を高速化することで、ユーザが効率よく素材の編集を行うことができるので、放送素材の編集に必要な時間を低減することができる。
【００２５】
なお、本実施形態によれば、素材一覧表示用ディスプレイ３０と編集用ディスプレイ４０について、別のディスプレイとしているが、同じディスプレイとすることも可能である。また、ビデオサーバ１０ａと編集機２０ａを別の装置としているが、ビデオサーバ１０ａに編集機能を設け、同じ装置とすることも可能である。
【００２６】
以上、具体的な実施の形態により本発明を説明したが、上記実施の形態は本発明の例示であり、この実施の形態に限定されないことは言うまでもない。
【００２７】
以上をまとめると、本発明は次のような特徴を有する。
（１） 本発明のテープレスシステムは、映像データである素材を保存しているビデオサーバと前記素材を編集する編集機を備えたテープレスシステムであって、前記編集機は、前記ビデオサーバに対して指定された検索条件に対する前記素材の素材一覧要求を送信する素材一覧要求送信手段と、前記素材一覧要求送信手段により前記素材に対する詳細情報要求する詳細情報要求手段とを有し、前記ビデオサーバは、前記素材一覧要求を受信すると前記編集機に対して基本情報を送信する基本情報送信手段と、前記詳細情報要求を受信すると前記編集機に対して詳細情報を送信する詳細情報送信手段とを有することを特徴としている。
（２） （１）の本発明のテープレスシステムの前記編集機は、前記基本情報を受信する基本情報受信手段と、前記基本情報受信手段により受信した前記基本情報を表示する基本情報表示手段と、前記詳細情報を受信する詳細情報受信手段と、前記詳細情報受信手段により受信した前記詳細情報を表示する詳細情報表示手段とを有することを特徴としている。
（３） （２）の本発明のテープレスシステムは、素材一覧表示用デイスプレイを備え、前記基本情報表示手段と前記詳細情報表示手段は、前記素材一覧表示用デイスプレイに表示することを特徴としている。
（４） （２）または（３）の本発明のテープレスシステムは、編集用デイスプレイを備え、前記編集用デイスプレイから前記ビデオサーバが保存している素材にアクセスできる素材アクセス手段とを有することを特徴としている。
（５） 本発明のテープレスシステムの編集機は、映像データである素材を保存しているビデオサーバを備えているテープレスシステムの編集機であって、前記ビデオサーバに対して指定された検索条件に対する前記素材の素材一覧要求を送信する素材一覧要求送信手段と、前記素材一覧要求送信手段により前記素材に対する詳細情報要求する詳細情報要求手段とを、備えることを特徴としている。
（６） 本発明のテープレスシステムの詳細情報取得方法は、映像データである素材を保存しているビデオサーバと前記素材を編集する編集機を備えたテープレスシステムの詳細情報取得方法であって、前記編集機は、前記ビデオサーバに対して指定された検索条件に対する前記素材の素材一覧要求を送信する素材一覧要求送信工程と、前記素材一覧要求送信工程により前記素材に対する詳細情報要求する詳細情報要求工程とを有し、前記ビデオサーバは、前記素材一覧要求を受信すると前記編集機に対して基本情報を送信する基本情報送信工程と、前記詳細情報要求を受信すると前記編集機に対して詳細情報を送信する詳細情報送信工程とを有することを特徴としている。
【産業上の利用可能性】
【００２８】
本発明は、テープレスシステムに好適であるが、データが保存されているサーバからデータを取り出して編集を行うシステム一般に適用可能である。
【符号の説明】
【００２９】
１０・・・・・ビデオサーバ
１０ａ・・・・ビデオサーバ
１１・・・・・取込機能部
１２・・・・・ファイルシステム機能部
１３・・・・・ＤＢ機能部
１４・・・・・記憶部
１５・・・・・Ｗｅｂサーバ機能部
２０・・・・・編集機
２０ａ・・・・編集機
２１・・・・・素材一覧アプリケーション機能部
２２・・・・・編集用アプリケーション機能部
２３・・・・・Ｗｅｂクライアント機能部
２４・・・・・検索条件受付処理部
２５・・・・・検索結果表示処理部
２６・・・・・詳細情報取得処理部
３０・・・・・素材一覧表示用ディスプレイ
４０・・・・・編集用ディスプレイ
５０・・・・・ＬＡＮ
６０・・・・・ＬＡＮ
１００・・・・・テープレスシステム
２００・・・・・テープレスシステム
【図１】
2012222436.tif 000003
【図２】
2012222436.tif 000004
【図３】
2012222436.tif 000005
【図４】
2012222436.tif 000006